(57)【要約】【課題】自動販売機等の機器の荷重を高さ調整部材の底面に分散させ、荷重の集中により基盤に凹みが生じたり基盤が割れたりするおそれがなく基盤を傷付け難く、さらに支持脚のネジ部を回転させて高さを調整する等の煩雑な高さ調整作業を行うことなく、支持プレートを水平に配置することが可能で機器の設置固定作業性に著しく優れる機器据付台座を提供する。【解決手段】機器据付台座１は、一端側に高位置側支持部９を有し他端側に高位置側支持部９より厚みの大きな低位置側支持部１０を有する高さ調整部材２と、機器の一の支持脚４３が上面の一端側に載置され他端側に機器の他の支持脚４３が載置され下面に高さ調整部材２が装着される支持プレート２０と、を備える。【選択図】図４
2009123122.tif 000002
【特許請求の範囲】
【請求項１】
一端側に高位置側支持部を有し他端側に前記高位置側支持部より厚みの大きな低位置側支持部を有する高さ調整部材と、
機器の一の支持脚が上面の一端側に載置され他端側に前記機器の他の支持脚が載置され下面に前記高さ調整部材が装着される支持プレートと、
を備えていることを特徴とする機器据付台座。
【請求項２】
前記支持プレートが、下面に形成された溝部を備え、前記高さ調整部材が、前記溝部に嵌装されていることを特徴とする請求項１に記載の機器据付台座。
【請求項３】
前記高さ調整部材の長手方向の端部及び／又は内底面に配設された爪部と、前記支持プレートの長手方向の端部及び／又は下面に配設され前記爪部と係合する係止部と、を備えていることを特徴とする請求項１又は２に記載の機器据付台座。
【請求項４】
傾斜した基盤の低位置側と高位置側に、請求項１乃至３の内いずれか１に記載の機器据付台座の高さ調整部材の低位置側支持部と高位置側支持部を配置した後、前記高さ調整部材を前記基盤に固定する高さ調整部材固定工程と、
機器の支持脚に前記機器据付台座の支持プレートを装着する支持プレート装着工程と、
前記高さ調整部材に前記支持プレートを固定する支持プレート固定工程と、
を備えていることを特徴とする機器の設置固定方法。
【発明の詳細な説明】
【技術分野】
【０００１】
本発明は、自動販売機や自動支払機等の機器を基盤上に固定する機器据付台座及びそれを用いた機器の設置固定方法に関するものである。
【背景技術】
【０００２】
従来より、多数の自動販売機や自動支払機等の機器が、駅構内、高速道路等のサービスエリア、空港やフェリーの発着所、バスターミナル、ショッピングモール、ホテル等に設置されている。機器をコンクリート製等の基盤に設置する際には、基盤にコンクリートブロックを載置して、その上に機器を積載し、機器の支持脚を固定することが一般的である。また、基盤が傾斜している場合には、機器の支持脚の高さを調整して、機器を水平に設置することが行われている。
しかし、このような方法では機器の設置状態が不安定であり、また、機器の荷重が支持脚に集中してコンクリートブロックが割れてしまうことがあった。そのため、大きな地震等の場合には機器が転倒する可能性もあるという問題があった。
そこで、傾斜した基盤においても自動販売機等の機器を安定に設置することができる技術が開発されている。
【０００３】
従来の技術としては、（特許文献１）に「（ａ）自動販売機の支持脚が載置固定される支持プレートと、（ｂ）基盤上に固定される基盤側固定部材と、基盤側固定部材上に固定される高さ調整部材と、高さ調整部材上に固定されるプレート側固定部材と、前記高さ調整部材に設けられた高さ調整用のネジと、を有する支持金具と、を備えた自動販売機固定装置」が開示されている。
（特許文献２）には、「自動販売機の支持脚が載置される積載フレームと、前記積載フレームの一端側に回動自在に連結され基盤の高位置側に固定される高位置側支持金具と、前記積載フレームの他端側に高さ調整可能に装着され基盤の低位置側に固定される低位置側支持脚と、を備えた自動販売機固定装置」が開示されている。
【特許文献１】特許第２７００８７７号公報
【特許文献２】特開平９−１９６２８６号公報
【発明の開示】
【発明が解決しようとする課題】
【０００４】
しかしながら上記従来の技術においては、以下のような課題を有していた。
（１）（特許文献１）に開示の技術では、自動販売機固定装置を支持基盤に設置する際、支持基盤に基盤側固定部材をアンカーボルトで固定した後、支持プレートが水平になるように、高さ調整部材に設けられたネジを用いて支持金具の高さを調整するため、支持金具毎の高さ調整作業が煩雑で時間がかかるという課題を有していた。
（２）（特許文献２）に開示の技術においても、雌ネジ部に螺嵌した低位置側支持脚の雄ネジ部を回転させることによって低位置側支持脚の高さを調整するため、支持脚の高さ調整作業が煩雑であるという課題を有していた。
（３）（特許文献１）、（特許文献２）に係る発明では、自動販売機固定装置は複数の支持脚で支えられているため、自動販売機等の機器の荷重が支持脚の直下の基盤に集中し、基盤に凹みが生じたり基盤が割れたりするという課題を有していた。
【０００５】
本発明は上記従来の課題を解決するもので、自動販売機等の機器の荷重は高さ調整部材の底面に分散されるため安定性に優れ、荷重の集中により基盤に凹みが生じたり基盤が割れたりするおそれがなく基盤を傷付け難く、さらに支持脚のネジ部を回転させて高さを調整する等の煩雑な高さ調整作業を行うことなく、支持プレートを水平に配置することが可能で作業性に著しく優れる機器据付台座を提供することを目的とする。
また、本発明は、支持脚のネジ部を回転させて高さを調整する等の煩雑な高さ調整作業を行うことなく支持プレートを水平に配置し、自動販売機等の機器を安定に固定することが可能で作業性に著しく優れる機器の設置固定方法を提供することを目的とする。
【課題を解決するための手段】
【０００６】
上記従来の課題を解決するために本発明の機器据付台座及びそれを用いた機器の設置固定方法は、以下の構成を有している。
本発明の請求項１に記載の機器据付台座は、一端側に高位置側支持部を有し他端側に前記高位置側支持部より厚みの大きな低位置側支持部を有する高さ調整部材と、機器の一の支持脚が上面の一端側に載置され他端側に前記機器の他の支持脚が載置され下面に前記高さ調整部材が装着される支持プレートと、を備えた構成を有している。
この構成により、以下のような作用が得られる。
（１）一端側に高位置側支持部を有し他端側に高位置側支持部より厚みの大きな低位置側支持部を有する高さ調整部材と、下面に高さ調整部材が装着される支持プレートと、を備えているので、基盤の傾斜に応じた厚さに形成された高さ調整部材を用意し、この高さ調整部材を下面に装着することで、支持プレートの上面が水平になるように機器据付台座を設置することができるため、（特許文献１）や（特許文献２）のような雌ネジ部に螺嵌した支持脚の雄ネジ部を回転させて支持脚の高さを調整する等の煩雑な高さ調整作業が不要で、作業性に著しく優れる。
（２）一端側に高位置側支持部を有し他端側に低位置側支持部を有する高さ調整部材の底面が広く基盤に当接するので、自動販売機等の機器の荷重は高さ調整部材の底面に分散されるため安定性に優れるとともに、荷重の集中により基盤に凹みが生じたり基盤が割れたりするおそれがない。
【０００７】
ここで、高さ調整部材としては、ステンレス鋼等の合金鋼、溶融亜鉛めっき鋼板，溶融亜鉛−アルミニウム合金めっき鋼板，溶融亜鉛−アルミニウム−マグネシウム合金めっき鋼板等のめっき鋼板、ポリアセタール製，ポリカーボネート製等の合成樹脂、木粉と合成樹脂の複合材料である再生木、コンクリート等で板状、棒状、管状等の長尺に形成されたものが用いられる。これらは錆や腐食が生じ難く、機械的強度が高く座屈し難いからである。座屈限界荷重を高めるため、リブ等を設けることもできる。
長尺状の高さ調整部材の一端側には、傾斜した基盤の高位置側に設置される高位置側支持部が形成される。高さ調整部材の他端側には、傾斜した基盤の低位置側に設置される低位置側支持部が形成される。低位置側支持部の厚さは、高位置側支持部より厚く形成される。基盤の傾斜分を低位置側支持部と高位置側支持部の高低差で補い、支持プレートの上面を水平にするためである。
【０００８】
支持プレートとしては、ステンレス鋼等の合金鋼、溶融亜鉛めっき鋼板，溶融亜鉛−アルミニウム合金めっき鋼板，溶融亜鉛−アルミニウム−マグネシウム合金めっき鋼板等のめっき鋼板、ポリアセタール製，ポリカーボネート製等の合成樹脂、木粉と合成樹脂の複合材料である再生木、コンクリート等で長尺の板状等に形成されたものが用いられる。これらは錆びや腐食が生じ難く、機械的強度が高く座屈し難いからである。特に、再生木で形成されたものが好適に用いられる。リサイクル性に優れるからである。
高さ調整部材を装着するため、支持プレートには、例えば、高さ調整部材との嵌合手段、螺合手段等を設けることができる。
【０００９】
支持プレートに載置される機器としては、飲料，食料，タバコ，玩具，プリペイドカード等の自動販売機、現金の自動支払機、ゲーム機等の３本以上の支持脚で支えられたものが用いられる。
【００１０】
支持プレートの上面には、機器の支持脚が挿入され支持脚を係止するスリット状の係止孔が形成されたものが用いられる。
【００１１】
本発明の請求項２に記載の発明は、請求項１に記載の機器据付台座であって、前記支持プレートが、下面に形成された溝部を備え、前記高さ調整部材が、前記溝部に嵌装された構成を有している。
この構成により、請求項１で得られる作用に加え、以下のような作用が得られる。
（１）支持プレートの下面に高さ調整部材が嵌装される溝部を備えているので、高さ調整部材を支持プレートに容易に装着することができ設置作業性に優れる。
（２）基盤が水平な場合には、高さ調整部材を支持プレートの下面に装着せずに、支持プレートを基盤に直接設置することができる。高さ調整部材を嵌装するための突起等を有することなく溝部が形成された支持プレートの下面は、基盤に安定に設置することができるため、傾斜面、水平面のいずれの基盤にも設置することができ自在性に優れる。
【００１２】
ここで、溝部としては、支持プレートの長手方向に沿って形成されたもの、支持プレートの長手方向と直交若しくは斜交して形成されたもののいずれも用いることができる。特に、溝部を支持プレートの長手方向に沿って形成することが好適に用いられる。高さ調整部材を溝部に嵌装すれば、支持プレートの短手方向への移動を抑制できるので安定性に優れるからである。
【００１３】
本発明の請求項３に記載の発明は、請求項１又は２に記載の機器据付台座であって、前記高さ調整部材の長手方向の端部及び／又は内底面に配設された爪部と、前記支持プレートの長手方向の端部及び／又は下面に配設され前記爪部と係合する係止部と、を備えた構成を有している。
この構成により、請求項１又は２で得られる作用に加え、以下のような作用が得られる。
（１）高さ調整部材に配設された爪部と、支持プレートに配設され爪部と係合する係止部と、を備えているので、高さ調整部材に容易に支持プレートを装着することができるとともに、支持プレートの長手方向への移動を抑制でき安定性に優れる。
【００１４】
ここで、爪部や係止部の数や位置は適宜設定することができるが、爪部が高さ調整部材の長手方向の端部に形成され、係止部が支持プレートの端部に形成されていると、係止部を視認しながら爪部に係合させることができ、施工性に優れるため好ましい。
【００１５】
本発明の請求項４に記載の機器の設置固定方法は、傾斜した基盤の低位置側と高位置側に、請求項１乃至３の内いずれか１に記載の機器据付台座の高さ調整部材の低位置側支持部と高位置側支持部を配置した後、前記高さ調整部材を前記基盤に固定する高さ調整部材固定工程と、機器の支持脚に前記機器据付台座の支持プレートを装着する支持プレート装着工程と、前記高さ調整部材に前記支持プレートを固定する支持プレート固定工程と、を備えた構成を有している。
この構成により、以下のような作用が得られる。
（１）基盤の傾斜に応じた厚さに形成された高さ調整部材を基盤に固定し、機器の支持脚に支持プレートを装着した後、支持脚を装着した支持プレートを高さ調整部材に固定することにより機器を設置固定できるため、（特許文献１）や（特許文献２）のような雌ネジ部に螺嵌した支持脚の雄ネジ部を回転させて支持脚の高さを調整する等の煩雑な高さ調整作業が不要で、作業性に著しく優れる。
（２）クレーンやフォークリフト等を使って重量の大きな機器を吊上げたり持ち上げたりして、基盤から支持脚を浮かせた状態で支持脚に支持プレートを装着した後、支持脚に支持プレートを装着した機器を、基盤に固定した高さ調整部材に下ろすことにより設置できるため、設置作業性に著しく優れる。
【発明の効果】
【００１６】
以上のように、本発明の機器据付台座及びそれを用いた機器の設置固定方法によれば、以下のような有利な効果が得られる。
請求項１に記載の発明によれば、
（１）基盤の傾斜に応じた厚さに形成された高さ調整部材を用意し、この高さ調整部材を下面に装着することで、支持プレートの上面が水平になるように機器据付台座を設置することができるため、雌ネジ部に螺嵌した支持脚の雄ネジ部を回転させて支持脚の高さを調整する等の煩雑な高さ調整作業が不要で作業性に著しく優れた機器据付台座を提供できる。
（２）一端側に高位置側支持部を有し他端側に低位置側支持部を有する高さ調整部材の底面が広く基盤に当接するので、自動販売機等の機器の荷重は高さ調整部材の底面に分散されるため安定性に優れるとともに、荷重の集中により基盤に凹みが生じたり基盤が割れたりするおそれがなく基盤を傷付け難い機器据付台座を提供できる。
【００１７】
請求項２に記載の発明によれば、請求項１の効果に加え、
（１）支持プレートの下面に高さ調整部材が嵌装される溝部を備えているので、高さ調整部材を支持プレートに容易に装着することができ設置作業性に優れた機器据付台座を提供できる。
（２）下面に溝部が形成された支持プレートは基盤に安定に設置することができるため、高さ調整部材を支持プレートの下面に装着せずに支持プレートを基盤に直接設置することにより、傾斜面、水平面のいずれの基盤にも設置することができ自在性に優れた機器据付台座を提供できる。
【００１８】
請求項３に記載の発明によれば、請求項１又は２の効果に加え、
（１）高さ調整部材に配設された爪部と、支持プレートに配設され爪部と係合する係止部と、を備えているので、高さ調整部材に容易に支持プレートを装着することができるとともに、支持プレートの長手方向への移動を抑制でき安定性に優れた機器据付台座を提供できる。
【００１９】
請求項４に記載の発明によれば、
（１）基盤の傾斜に応じた厚さに形成された高さ調整部材を基盤に固定した後、高さ調整部材に機器据付台座の支持プレートを装着することにより、支持プレートの上面が水平になるように機器据付台座を設置することができるため、雌ネジ部に螺嵌した支持脚の雄ネジ部を回転させて支持脚の高さを調整する等の煩雑な高さ調整作業が不要で作業性に著しく優れた機器の設置固定方法を提供できる。
（２）クレーンやフォークリフト等を使って重量の大きな機器を吊上げたり持ち上げたりして、基盤から支持脚を浮かせた状態で支持脚に支持プレートを装着した後、支持脚に支持プレートを装着した機器を、基盤に固定した高さ調整部材に下ろすことにより設置できるため、設置作業性に著しく優れた機器の設置固定方法を提供できる。
【発明を実施するための最良の形態】
【００２０】
以下、本発明を実施するための最良の形態を、図面を参照しながら説明する。
（実施の形態１）
図１は本発明の実施の形態１における機器据付台座の斜視図であり、図２は本発明の実施の形態１における機器据付台座の平面図であり、図３は図２のＡ−Ａ線における断面図であり、図４は図２のＢ−Ｂ線における断面図である。
図中、１は本発明の実施の形態１における機器据付台座、２は機器据付台座１の高さ調整部材、３は合金鋼やめっき鋼板等の板材で形成された高さ調整部材２の底面である。
図４において、Ｇはコンクリート等で形成された傾斜した基盤、４は底面３の長手方向の一端部に溶接，折曲等により立設され傾斜した基盤Ｇの高位置側に配置される高位置側端面である。なお、高位置側端面４の高さは、後述するプレート固定部材３３の側面３３ａの高さよりも低く形成されている。高位置側の基盤Ｇに支持プレート２０の底面及びプレート固定部材３３の側面３３ａを接地させるためである。
５は高位置側端面４の上端が内側に折り曲げられて形成された爪部、６は底面３の長手方向の他端部に溶接，折曲等により立設され後述するプレート固定部材３３の側面３３ａの高さよりも高く形成され傾斜した基盤Ｇの低位置側に配置される低位置側端面、７は低位置側端面６に形成された螺子孔、８は底面３と低位置側端面６との間に形成された１乃至複数のリブ、９は高さ調整部材２の高位置側端面４側の高位置側支持部、１０は高さ調整部材２の低位置側端面６側の低位置側支持部である。前述したように、高位置側の基盤Ｇには支持プレート２０の底面及びプレート固定部材３３の側面３３ａが接地し、また、低位置側端面６の高さはプレート固定部材３３の側面３３ａの高さよりも高く形成されており、低位置側の基盤Ｇに支持プレート２０の底面は接地していない。そのため、低位置側支持部１０の最大高さは、（低位置側端面６の高さ）から（プレート固定部材３３の側面３３ａ）を減じた高さＬで決定される。従って、実施の形態１における機器据付台座１により調整可能な基盤Ｇの勾配（分数勾配）は、Ｌ／（支持プレート２０の長さ）となる。
１１は底面３の上面（内底面）の高位置側支持部９側に基部が溶接等で固着され低位置側端面６側を向いて底面３の幅と略同一幅の合金鋼やめっき鋼板等の板材等で形成された爪部、１２は底面３の上面（内底面）の低位置側支持部１０側に基部が溶接等で固着され低位置側端面６側を向いて底面３の幅と略同一幅の合金鋼やめっき鋼板等の板材等で爪部１１より高く形成された爪部、１３は高さ調整部材２の底面３の略中央に形成されたアンカー挿通孔である。
【００２１】
２０は金属製，合成樹脂製，再生木等で一様の厚さに形成された長尺の支持プレート、２１は支持プレート２０の長手方向に沿って下面に一様な深さで略コ字状に形成された溝部、２２は支持プレート２０の長手方向に沿って上面に一様な深さで略コ字状に形成されたプレート上面溝部、２３は合金鋼やめっき鋼板等で断面略コ字状に形成され上面及び両端面を開口させてプレート上面溝部２２の内側に収装された支持脚載置部、２４は支持脚載置部２３の上面に配設されたゴム製の防振板、２５，２５は合金鋼やめっき鋼板等で断面略Ｌ字状に形成され支持脚載置部２３の側面と溶接等により固着されプレート上面溝部２２内に収装されたスライド長孔形成部材、２５ａはスライド長孔形成部材２５，２５の間隙に形成され後述する支持脚４３の外径より幅広で後述する支持脚４３の着地部４４の外径より幅狭に形成されたスライド長孔、２６はスライド長孔形成部材２５，２５の両端に形成され後述する着地部４４の外径より大径に形成された大径孔部、２７はプレート上面溝部２２の一端側の開口部から支持脚載置部２３内に挿入されたストッパ部材、２７ａはストッパ部材２７の上面に形成された螺子孔、２８はストッパ部材２７の螺子孔２７ａに挿着されスライド長孔形成部材２５とストッパ部材２７とを締結する螺子、２９はストッパ部材２７の内側に延設され支持脚載置部２３と所定量の隙間を形成する抑え部、３０はプレート上面溝部２２の他端側の開口部から支持脚載置部２３内に挿入されたストッパ部材、３１はスライド長孔形成部材２５とストッパ部材３０とに挿着されスライド長孔形成部材２５とストッパ部材３０とを締結する螺子、３２はストッパ部材３０の内側に延設され支持脚載置部２３と所定量の隙間を形成する抑え部である。
【００２２】
３３は合金鋼やめっき鋼板等で断面略コ字状に形成され支持プレート２０の長手方向に沿って溝部２１の内側に嵌装されたプレート固定部材、３３ａはプレート固定部材３３の側面、３４はプレート固定部材３３の一端部に配設され高位置側端面４の上端に形成された爪部５と係合する係止部、３４ａは支持脚載置部２３，支持プレート２０，プレート固定部材３３を貫通して形成された貫通孔、３４ｂは貫通孔３４ａに挿通され係止部３４をプレート固定部材３３の底面に固着した螺子、３５はプレート固定部材３３の他端部に支持プレート２０の他端部と面一に形成され高さ調整部材２の低位置側端面６と当接するプレート固定部材端面、３６はプレート固定部材端面３５に形成された螺子孔、３７は螺子孔３６，７に挿着されプレート固定部材端面３５と低位置側端面６とを締結する螺子、３８は支持脚載置部２３，支持プレート２０，プレート固定部材３３を貫通して形成された貫通孔、３９は貫通孔３８に挿着された螺子、４０はプレート固定部材３３の底面の幅と略同一幅の合金鋼やめっき鋼板等の板材等で鉤状に形成され螺子３９でプレート固定部材３３に固着されて高さ調整部材２の爪部１１，１２と係合する係止部、４１は支持プレート２０の略中央に形成されたアンカー挿通孔である。
４２はエポキシ樹脂製等で形成され係止部４０と高さ調整部材２の底面３との間に充填され硬化するパテ、４３は図示しない自動販売機や自動支払機等の機器の底部に配設された支持脚、４４は支持脚４３の下端に配設され防振板２４に載置された着地部、４５はアンカー挿通孔１３に挿通され基盤Ｇに固定された金属系アンカーや接着系アンカー等のアンカーである。
【００２３】
以上のように構成された実施の形態１における機器据付台座を用いた機器の設置固定方法について、以下、図面を参照しながら説明する。
図５（ａ）は基盤に高さ調整部材を固定した状態を示す要部断面図であり、図５（ｂ）は機器の支持脚に支持プレートを装着した状態を示す要部断面図である。
まず、自動販売機等の機器を設置する基盤Ｇの傾斜を水準器等で測定し、基盤Ｇの傾斜に合った高位置側支持部９と低位置側支持部１０とを有する高さ調整部材２と、支持プレート２０と、を２体ずつ用意する。支持プレート２０にはストッパ部材２７を取り付け、防振板２４を支持脚載置部２３の上面に配設しておく。なお、低位置側端面６の高さの異なる高さ調整部材２を複数本用意しておき、基盤Ｇの傾斜角度に応じて最適な高さ調整部材２を選択することで、傾斜角度の異なる種々の基盤Ｇの不陸を調整することができる。
まず、高さ調整部材固定工程において、片方の高さ調整部材２を固定する基盤Ｇにアンカー挿通孔１３の位置に合わせて孔をあけ、図５（ａ）に示すように、基盤Ｇにアンカー４５で高さ調整部材２を固定する。他方の高さ調整部材２を固定する基盤Ｇにもアンカー挿通孔１３の位置に合わせて孔をあけ、他方の高さ調整部材２を片方の高さ調整部材２と略平行にアンカー４５で固定する。高さ調整部材２の底面３と爪部１１，１２との隙間にエポキシ樹脂製等のパテ４２を充填しておく。
次に、支持プレート装着工程において、自動販売機等の機器をクレーンやフォークリフト等で持ち上げ、支持脚４３及び着地部４４を基盤Ｇから浮かせた状態にする。次いで、支持脚４３及び着地部４４に支持プレート２０の大径孔部２６を挿入し、支持プレート２０をスライドさせることによりスライド長孔２５ａに支持脚４３及び着地部４４を挿入する。着地部４４がストッパ部材２７の抑え部２９に挟入されるまで支持プレート２０をスライドさせる。次いで、支持脚載置部２３の他端側の開口部からストッパ部材３０を挿入し、ストッパ部材３０の抑え部３２で着地部４４を係止する。螺子３１をスライド長孔形成部材２５とストッパ部材３０とに挿着し、スライド長孔形成部材２５とストッパ部材３０とを締結し、ストッパ部材３０をスライド長孔２５ａの他端部に固定する。これにより、支持脚４３及び着地部４４をスライド長孔２５ａ内に固定する。
次に、支持プレート固定工程において、パテ４２が硬化しないうちに、支持脚４３に装着された支持プレート２０を高さ調整部材２の上に下ろし、図４に示すように、高さ調整部材２の爪部５，１１，１２に支持プレート２０の係止部３４，４０，４０を係合させるとともに、高さ調整部材２の低位置側端面６を支持プレート２０のプレート固定部材端面３５の内側に当接させる。次いで、螺子３７を螺子孔３６，７に挿着し、高さ調整部材２の低位置側端面６と支持プレート２０のプレート固定部材端面３５とを締結し、高さ調整部材２に支持プレート２０を装着する。これにより、機器を基盤Ｇに安定に設置固定することができる。
【００２４】
以上のように、本発明の実施の形態１における機器据付台座は構成されているので、以下のような作用が得られる。
（１）一端側に高位置側支持部９を有し他端側に高位置側支持部９より厚みの大きな低位置側支持部１０を有する高さ調整部材２と、下面に高さ調整部材２が装着される支持プレート２０と、を備えているので、基盤Ｇの傾斜に応じた厚さに形成された高さ調整部材２を支持プレート２０に装着することで、支持プレート２０の上面が水平になるように機器据付台座１を設置することができる。このため、（特許文献１）や（特許文献２）のように、雌ネジ部に螺嵌した支持脚の雄ネジ部を回転させて支持脚の高さを調整する等の煩雑な高さ調整作業が不要で作業性に著しく優れる。
（２）一端側に高位置側支持部９を有し他端側に低位置側支持部１０を有する高さ調整部材２の底面３が広く基盤Ｇに当接するので、自動販売機等の機器の荷重は高さ調整部材２の底面３に分散されるため安定性に優れ、荷重の集中により基盤Ｇに凹みが生じたり基盤Ｇが割れたりするおそれがない。
（３）支持プレート２０の下面に高さ調整部材２が嵌装される溝部２１を備えているので、高さ調整部材２を支持プレート２０に容易に装着することができ設置作業性に優れる。
（４）高さ調整部材２に配設された爪部５，１１，１２と、支持プレート２０に配設され爪部５，１１，１２と係合する係止部３４，４０，４０と、を備えているので、高さ調整部材２に容易に支持プレート２０を装着することができるとともに、支持プレート２０の長手方向への移動を抑制でき安定性に優れる。
（５）高さ調整部材２の低位置側端面６が支持プレート２０のプレート固定部材端面３５の内側に当接し、低位置側端面６の螺子孔７とプレート固定部材端面３５の螺子孔３６に螺子３７を挿着して締結することにより、簡単に支持プレート２０の長手方向への移動を抑制でき安定性に優れる。
（６）高さ調整部材２の低位置側側面６と底面３との間にリブ８が形成されているので、軽量で搬送性に優れるとともに低位置側側面６の座屈限界荷重を大きくすることができる。また、低位置側側面６の高さの異なる高さ調整部材２を複数種用意しておけば、基盤Ｇの勾配に応じて最適の高さの低位置側側面６が形成された高さ調整部材２を選択することで、基盤Ｇの傾斜を相殺することができ自在性に優れる。
（７）高さ調整部材２の高位置側側面４の高さはプレート固定部材３３の側面３３ａの高さより低く形成されているので、高位置側支持部９側では支持プレート２０の底面が接地して支持プレート２０に載置された機器の荷重を受けることができる。高位置側支持部９側では、さらに係止部４０と硬化したパテ４２により、支持プレート２０に載置された機器の荷重を受けることができる。また、高さ調整部材２の低位置側側面６の高さはプレート固定部材３３の側面３３ａの高さより高く形成されているので、低位置側支持部６側では低位置側側面６が支持プレート２０に載置された機器の荷重を受けるが、リブ８が形成されているので低位置側側面６が座屈することなく荷重を受けることができる。
（８）機器の支持脚４３の着地部４４を防振板２４に載置しているので、自動販売機等の機器の運転（例えば、自動販売機の冷蔵庫のコンプレッサー）により発生する振動を抑制し、防振、防音を図ることができる。
【００２５】
本発明の実施の形態１における機器の設置固定方法によれば、以下のような作用が得られる。
（１）基盤Ｇの傾斜に応じた厚さに形成された高さ調整部材２を基盤Ｇに固定し、機器の支持脚４３に支持プレート２０を装着した後、支持脚４３を装着した支持プレート２０を高さ調整部材２に固定することにより機器を設置固定できるため、（特許文献１）や（特許文献２）のような雌ネジ部に螺嵌した支持脚の雄ネジ部を回転させて支持脚の高さを調整する等の煩雑な高さ調整作業が不要で、作業性に著しく優れる。
（２）クレーンやフォークリフト等を使って重量の大きな機器を吊上げたり持ち上げたりして、基盤Ｇから支持脚４３を浮かせた状態で支持脚４３に支持プレート２０を装着した後、支持脚４３に支持プレート２０を装着した機器を、基盤Ｇに固定した高さ調整部材２に下ろすことにより設置できるため、設置作業性に著しく優れる。
（３）高さ調整部材２の底面３と爪部１１，１２との間にパテ４２を充填し、パテ４２が硬化しないうちに、支持プレート固定工程において、高さ調整部材２の爪部１１，１２に支持プレート２０の係止部４０，４０を係合させるので、パテ４２が硬化すると、係止部４０及び硬化したパテ４２が機器の荷重を受けるので、高さ調整部材２の底面３とプレート固定部材３３との間隔を維持させて機器を水平に設置固定できる。
（４）高さ調整部材２はアンカー４５で基盤Ｇに強固に固定されるため、地震等によって機器が転倒するのを防止できる。
【００２６】
ここで、本実施の形態においては、底面３と低位置側側面６との間にリブ８が形成された場合について説明したが、リブ８を形成することなく低位置側側面６の板材の厚さを厚くして、低位置側側面６の座屈限界荷重を大きくする場合もある。
また、高さ調整部材固定工程において、高さ調整部材２の底面３と爪部１１，１２との隙間にパテ４２を充填したが、同様に、高さ調整部材２の底面３と爪部５との間にパテ４２を充填したり、さらに爪部５の上にパテ４２を盛ったりする場合もある。パテ４２が硬化すると高支持側支持部９の座屈限界荷重を大きくできるからである。
また、高位置側支持部９の座屈限界荷重を大きくするためには、高位置側支持部９の底面３に、頂部がプレート固定部材３３の底面に当接するような高さで柱状や突条等の形状で突設された補強部材を設ける場合もある。同様に、高位置側支持部９のプレート固定部材３３の底面に、底部が高さ調整部材２の底面３に当接するような長さで柱状や突条等の形状で突設された補強部材を設ける場合もある。これらの場合は、補強部材で支持プレート２０に載置された機器の荷重を分散して受けることができ、高位置側支持部９の座屈限界荷重を大きくすることができる。補強部材とプレート固定部材３３や底面３とに隙間ができるときは、パテを用いて隙間をなくし荷重を受けるようにすることもできる。
なお、機器の支持脚４３には高さ調整機構が設けられているので、高さ調整部材２による不陸の修正に加えて、支持脚４３に設けられた高さ調整機構を使って微調整を行うことも可能である。
【００２７】
なお、本実施の形態においては、傾斜した基盤Ｇに機器据付台座１を設置する場合について説明したが、基盤Ｇが水平な場合は、支持プレート２０に高さ調整部材２を装着せずに用いることができる。
図６は実施の形態１における機器据付台座の他の使用状態を示す要部断面図である。
図中、４６は支持プレート２０に形成されたアンカー挿通孔４１に挿通され基盤Ｇに固定された金属系アンカーや接着系アンカー等のアンカーである。
本発明の実施の形態１における機器据付台座１の支持プレート２０は一様の厚さに形成されており、溝部２１が支持プレート２０の下面に長手方向に沿って形成されているので、支持プレート２０は基盤Ｇに安定に設置することができる。このため、基盤Ｇが傾斜している場合は高さ調整部材２を装着することにより、基盤Ｇが水平の場合は高さ調整部材２を装着しないことにより、支持プレート２０を水平に設置することができ自在性に優れる。
【産業上の利用可能性】
【００２８】
本発明は、自動販売機や自動支払機等の機器を基盤上に固定する機器据付台座及びそれを用いた機器の設置固定方法に関し、自動販売機等の機器の荷重は高さ調整部材の底面に分散されるため、荷重の集中により基盤に凹みが生じたり基盤が割れたりするおそれがなく基盤を傷付け難く、また支持脚のネジ部を回転させて高さを調整する等の煩雑な高さ調整作業を行うことなく、支持プレートを水平に配置することが可能で作業性に著しく優れ、さらに水平な基盤な場合においても使用可能で、機器の支持脚の接地面積を広げて安定性を高め地震等による転倒を防止できる機器据付台座を提供することができ、また、支持脚のネジ部を回転させて高さを調整する等の煩雑な高さ調整作業を行うことなく支持プレートを水平に配置し、自動販売機等の機器を安定に固定することが可能で作業性に著しく優れる機器の設置固定方法を提供することができる。
【図面の簡単な説明】
【００２９】
【図１】実施の形態１における機器据付台座の斜視図
【図２】実施の形態１における機器据付台座の平面図
【図３】図２のＡ−Ａ線における断面図
【図４】図２のＢ−Ｂ線における断面図
【図５】（ａ）基盤に高さ調整部材を固定した状態を示す要部断面図  （ｂ）機器の支持脚に支持プレートを装着した状態を示す要部断面図
【図６】実施の形態１における機器据付台座の他の使用状態を示す要部断面図
【符号の説明】
【００３０】
１  機器据付台座
２  高さ調整部材
３  底面
４  高位置側端面
５  爪部
６  低位置側端面
７  螺子孔
８  リブ
９  高位置側支持部
１０  低位置側支持部
１１，１２  爪部
１３  アンカー挿通孔
２０  支持プレート
２１  溝部
２２  プレート上面溝部
２３  支持脚載置部
２４  防振板
２５  スライド長孔形成部材
２５ａ  スライド長孔
２６  大径孔部
２７  ストッパ部材
２７ａ  螺子孔
２８  螺子
２９  抑え部
３０  ストッパ部材
３１  螺子
３２  抑え部
３３  プレート固定部材
３３ａ  側面
３４  係止部
３４ａ  貫通孔
３４ｂ  螺子
３５  プレート固定部材端面
３６  螺子孔
３７  螺子
３８  貫通孔
３９  螺子
４０  係止部
４１  アンカー挿通孔
４２  パテ
４３  支持脚
４４  着地部
４５，４６  アンカー
Ｇ  基盤
【図１】
2009123122.tif 000003
【図２】
2009123122.tif 000004
【図３】
2009123122.tif 000005
【図４】
2009123122.tif 000006
【図５】
2009123122.tif 000007
【図６】
2009123122.tif 000008